(57)【要約】【課題】筐体内に発熱要素箇所が複数箇所ある場合において、１個のファンでそれぞれの発熱要素箇所を効率よく、かつ、できるだけ騒音を出さないようにして冷却する。【解決手段】ファン１５による送風によって電子機器の筐体１０内を冷却する冷却装置であって、筐体１０内の複数のユニット１１，１２，１４のそれぞれに配置された温度センサＤ１，Ｄ２，Ｄ３と、ファン１５の台座１７を回転させる台座回転手段と、各温度センサＤ１，Ｄ２，Ｄ３の検知温度に基づいて台座１７の回転を制御する制御手段とを備え、制御手段は、ファン１５の稼動時に予め設定されている所定方向Ａ１への送風を行うとともに、温度検センサＤ１，Ｄ２，Ｄ３によって任意のユニットの温度異常が検知された場合には、その検知されたユニットにファン１５の送風方向が向くように台座１７を回転させる。【選択図】図１
2009027071.tif 000002
【特許請求の範囲】
【請求項１】
ファンによる送風によって電子機器の筐体内を冷却する冷却装置であって、
筐体内の複数の発熱要因箇所のそれぞれに配置された温度検知手段と、
前記ファンの台座を回転させる台座回転手段と、
前記温度検知手段の検知温度に基づいて前記台座回転手段の回転を制御する制御手段とを備え、
前記制御手段は、前記ファンの稼動時に予め設定されている所定方向への送風を行うとともに、前記温度検知手段によって任意の発熱要因箇所の温度異常が検知された場合には、その検知された発熱要因箇所に前記ファンの送風方向が向くように前記台座回転手段を制御してファンの台座を回転させることを特徴とする電子機器の冷却装置。
【請求項２】
前記制御手段は、任意の発熱要因箇所の温度異常を検知してから予め設定されている一定時間が経過しても当該発熱要因箇所の温度異常が解消されていない場合には、前記ファンの送風回転数を上げるように制御することを特徴とする請求項１に記載の電子機器の冷却装置。
【請求項３】
前記複数の発熱要因箇所のそれぞれに冷却の優先順位が予め設定されており、
前記制御手段は、複数の温度検知手段によって温度異常が検知された場合には、前記優先順位に従って温度異常が検知された複数の発熱要因箇所の中から最初に冷却すべき発熱要因箇所を決定することを特徴とする請求項１または請求項２に記載の電子機器の冷却装置。
【請求項４】
前記優先順位は、各発熱要因箇所ごとに予め設定されている異常検知のための閾値の低い順または高い順に設定されていることを特徴とする請求項３に記載の電子機器の冷却装置。
【請求項５】
前記制御手段は、複数の温度検知手段によって温度異常が検知された場合には、温度異常が検知された複数の発熱要因箇所の中で、それぞれに設定されている閾値からの温度上昇の最も高い発熱要因箇所を最初に冷却すべき発熱要因箇所として決定することを特徴とする請求項１または請求項２に記載の電子機器の冷却装置。
【請求項６】
温度異常を報知する報知手段を備え、
前記制御手段は、前記温度検知手段によって温度異常が検知された場合には、前記報知手段により温度異常を報知することを特徴とする請求項１ないし請求項５のいずれか１項に記載の電子機器の冷却装置。
【発明の詳細な説明】
【技術分野】
【０００１】
本発明は、電子機器の筐体内で温度異常が発生した場合にファンを効率的に制御する電子機器の冷却装置に関する。
【背景技術】
【０００２】
通信装置や情報装置などの電子機器では、筐体内の発熱要素部品（例えば、コンデンサ、トランス、トランジスタ等）による発熱を抑えて、当該発熱要素部品や他の回路部品の破損を防止するために、従来からファンによる冷却装置が用いられており、その冷却手法が種々提案されている（例えば、特許文献１参照）。
【０００３】
特許文献１による電子機器の冷却方法は、発熱要素部品である被測温部品の近傍に温度センサを設け、被測温部品の異常高温時、温度センサからの異常温度検出信号の出力によって、駆動回路を介して発光素子を駆動し、発光素子の光信号を受光素子によって受信して、制御部によってファンの回転速度の制御を行う構成となっている。具体的には、ファンの回転速度を、平常時は低回転速度とし、異常温度検出信号の発生時は高回転速度とするように、２段階に回転制御を行うようになっている。
【特許文献１】特開平８−６３２３７号公報
【発明の開示】
【発明が解決しようとする課題】
【０００４】
上記特許文献１に代表されるように、従来の冷却装置は、筐体内の温度異常が発生したときに、ファンの回転速度を上げて強風を筐体内に循環させることで、筐体内の温度を下げるように制御することが一般的である。
【０００５】
しかし、電子機器の種類にもよるが、筐体内の発熱要素箇所（発熱要素部品の他、構造上熱が溜まりやすい箇所も含む）は１箇所とは限らない。発熱要素箇所が１箇所の場合には、ファンもその近くに配置することで、効率的な冷却が可能となる。しかし、発熱要素箇所が複数箇所存在する場合には、通常、ファンはそれら複数の発熱要素箇所を最も効率的に冷却できる位置に配置されるため、個々の発熱要素箇所から見た場合、ファンの送風方向が必ずしも直接的に送られてくる方向にはなっていない場合がある。
【０００６】
例えば、ファンの向きが冷却要素箇所ａに向けて配置されている場合において、別の冷却要素箇所ｂが温度異常となった場合、ファンの回転数を上げることで送風は冷却要素箇所ａを経由して冷却要素箇所ｂにより強く送られることになるが、発熱要素箇所ａを経由する分だけ冷却効果が減少し、発熱要素箇所ｂを十分に冷却できない可能性がある。
【０００７】
そのため、従来の冷却装置では、この点を考慮し、ファンの回転数を上げる場合に、十分高くして、冷却効果が得られるようにする必要がある。その結果、ファンの高速回転による騒音が大きくなって、ユーザに不快感や不安感を与えてしまうといった問題があった。
【０００８】
本発明はかかる問題点を解決すべく創案されたもので、その目的は、筐体内に発熱要素箇所が複数箇所ある場合において、１個のファンでそれぞれの発熱要素箇所を効率よく、かつ、できるだけ騒音を出さないようにして冷却することのできる電子機器の冷却装置を提供することにある。
【課題を解決するための手段】
【０００９】
上記課題を解決するため、本発明の電子機器の冷却装置は、ファンによる送風によって電子機器の筐体内を冷却する冷却装置であって、筐体内の複数の発熱要因箇所のそれぞれに配置された温度検知手段と、前記ファンの台座を回転させる台座回転手段と、前記温度検知手段の検知温度に基づいて前記台座回転手段の回転を制御する制御手段とを備え、前記制御手段は、前記ファンの稼動時に予め設定されている所定方向への送風を行うとともに、前記温度検知手段によって任意の発熱要因箇所の温度異常が検知された場合には、その検知された発熱要因箇所に前記ファンの送風方向が向くように前記台座回転手段を制御してファンの台座を回転させることを特徴としている。
【００１０】
すなわち、本発明によれば、ファンの送風方向を例えば発熱要素箇所ａに向けて配置し、この状態でファンを稼動させている状態において、別の発熱要素箇所ｂに配置されている温度検知手段により温度異常が検知された場合には、ファンの台座を回転させてファンの送風方向自体を、最初の発熱要素箇所ａから発熱要素箇所ｂに直接向くように制御している。これにより、それまでは発熱要素箇所ａを経由して送られてきたファンの風が発熱要素箇所ａを経由せずに発熱要素箇所ｂに直接送られてくるので、その分、発熱要素箇所ｂの冷却効率が向上することになる。その結果、ファンの回転数を上げなくても、発熱要素箇所ｂの発熱を所定温度以内まで下げることが可能となる。
【００１１】
すなわち、本発明によれば、任意の発熱要素箇所に温度異常が発生した場合でも、ファンの回転数をすぐに上げるのではなく、まずファンの送風方向を異常の発生している発熱要素箇所に向けることによって、騒音の発生を防止しつつ、発熱要素箇所の温度異常を効率的に解消することが可能となる。また、この時点ではファンは通常時の回転数を保っているので、騒音も発生せず、ユーザに不快感や不安感を与えることもない。
【００１２】
この場合、前記制御手段は、任意の発熱要因箇所の温度異常を検知してから予め設定されている一定時間（例えば、１分等）が経過しても当該発熱要因箇所の温度異常が解消されていない場合には、前記ファンの送風回転数を上げるように制御する構成としてもよい。すなわち、ファンの送風方向の制御による風量増加のみでは発熱要素箇所の温度異常が解消できない場合に、次の手段としてファンの回転数を上げることで、発熱要素箇所をより確実に冷却することができ、温度異常を確実に解消することが可能となる。
【００１３】
ここで、本発明では、複数の発熱要素箇所で同時に温度異常が発生することを考慮し、前記複数の発熱要因箇所のそれぞれに冷却の優先順位を予め設定しておく。そして、前記制御手段は、複数の温度検知手段によって温度異常が検知された場合には、前記優先順位に従って温度異常が検知された複数の発熱要因箇所の中から最初に冷却すべき発熱要因箇所を決定する構成としてもよい。この場合、前記優先順位は、各発熱要因箇所ごとに予め設定されている異常検知のための閾値の低い順または高い順に設定する。
【００１４】
例えば、発熱要素箇所ａの閾値を５５度、発熱要素箇所ｂの閾値を６０度、発熱要素箇所ｃの閾値を７０度とし、優先順位が閾値の低い順に設定されている場合において、発熱要素箇所ａと発熱要素箇所ｂの双方が温度異常となった場合について考える。すなわち、発熱要素箇所ａに配置されている温度検知手段による検知温度が閾値の５５度を超え、発熱要素箇所ｂに配置されている温度検出手段による検知温度が閾値の６０度を超えた場合、制御手段は、まず閾値の低い発熱要素箇所ａの方にファンを向けて送風（冷却）を行う。つまり、閾値が低く設定されているということは、それだけ温度上昇を抑える必要があるということなので、まず発熱要素箇所ａをファンで直接冷却する。そして、発熱要素箇所ａの温度異常が解消さると、次に発熱要素箇所ｂの方にファンを向けて送風（冷却）を行う。
【００１５】
一方、優先順位が閾値の高い順に設定されている場合には、制御手段は、まず閾値の高い発熱要素箇所ｂの方にファンを向けて送風（冷却）を行う。つまり、閾値が高く設定されているということは、発熱要素箇所ｂの温度がそれだけ高くなっているということなので、まず温度の高い発熱要素箇所ｂをファンで直接冷却する。そして、発熱要素箇所ｂの温度異常が解消さると、次に発熱要素箇所ａの方にファンを向けて送風（冷却）を行う。このように優先順位を決めることで、１台のファンで、複数の発熱要素箇所を効率的かつ効果的に冷却することが可能となる。
【００１６】
なお、優先順位を閾値の低い方からとするのか、高い方からとするのかは、電子機器の種類や筐体内部の電子部品の配置構造等にもよるので、設計段階でいずれかに決定すればよい。
【００１７】
また、前記制御手段は、複数の温度検知手段によって温度異常が検知された場合には、温度異常が検知された複数の発熱要因箇所の中で、それぞれに設定されている閾値からの温度上昇の最も高い発熱要因箇所を最初に冷却すべき発熱要因箇所として決定する構成としてもよい。
【００１８】
例えば、発熱要素箇所ａの閾値を５５度、発熱要素箇所ｂの閾値を６０度、発熱要素箇所ｃの閾値を７０度とし、発熱要素箇所ａと発熱要素箇所ｂの双方が温度異常となった場合について考える。具体的には、発熱要素箇所ａに配置されている温度検知手段による検知温度が５８度であり、発熱要素箇所ｂに配置されている温度検出手段による検知温度が６５度であった場合、発熱要素箇所ａの温度は閾値の５５度から３度上昇し、発熱要素箇所ｂの温度は閾値の６０度から５度上昇しているので、この場合には閾値からの温度上昇のより高い発熱要素箇所ｂを最初に冷却すべき発熱要素箇所として決定する。すなわち、制御手段は、まず閾値からの温度上昇の高い発熱要素箇所ｂの方にファンを向けて送風（冷却）を行う。そして、発熱要素箇所ｂの温度異常が解消さると、次に発熱要素箇所ａの方にファンを向けて送風（冷却）を行う。
【００１９】
なお、本発明では、温度異常を報知する報知手段をさらに備えており、前記制御手段は、前記温度検知手段によって温度異常が検知された場合には、前記報知手段により温度異常を報知する構成としてもよい。すなわち、温度異常が発生し、冷却装置の制御によって温度異常が解消されたとしても、何らかの理由で温度異常が発生したことには変わりないため、電子機器の稼動は停止しないものの、温度異常が発生したことはユーザに報知する。従って、ユーザは、その報知を確認し、自らの判断で電子機器を一旦停止する等の、人為的な安全対策やその後の対策を講じることが可能となる。
【発明の効果】
【００２０】
本発明に係る電子機器の冷却装置によれば、任意の発熱要素箇所にて温度異常が発生した場合には、ファンの台座を回転させてファンの送風方向自体を、その温度異常が発生した発熱要素箇所に向けるように構成したので、温度異常の発生した発熱要素箇所の冷却効率を向上させることができるとともに、発熱による電子部品の故障等の被害の拡大を防止することができる。また、ファンの回転数を上げなくても、発熱要素箇所の発熱を所定温度以下まで下げることができるので、騒音も発生せず、ユーザに不快感や不安感を与えることがない。
【００２１】
また、ファンの送風方向の制御による風量増加のみでは発熱要素箇所の温度異常が解消できない場合に、次の手段としてファンの回転数を上げることで、発熱要素箇所をより確実に冷却することができ、発熱による電子部品の故障等の被害の拡大を確実に防止することができる。
【発明を実施するための最良の形態】
【００２２】
以下、本発明の実施の形態について、図面を参照して説明する。
【００２３】
図１は、本発明の冷却装置を電子機器であるＨＤＤ内蔵型ＤＶＤレコーダに適用した場合の原理的構成を示した説明図である。
【００２４】
ＨＤＤ内蔵型ＤＶＤレコーダの筐体１０の内部には、大別するとＨＤＤユニット１１、光ピックアップを搭載したＤＶＤユニット１２、回路基板１３、及び電源ユニット１４が配置されている。本実施形態では、筐体１０の前面側に設けられたディスク挿入口１０ａに対峙する形でＤＶＤユニット１２が配置されており、その左側にＨＤＤユニット１１が配置されている。また、ＤＶＤユニット１２の後ろ側に電源ユニット１０が配置されており、ＨＤＤユニット１１の後ろ側に回路基板１３とファン１５を備えた冷却ユニット（冷却装置）１６とが配置されている。
【００２５】
また、電源ユニット１４の近傍には、電源ユニット１４周辺の温度を検知するための温度センサＤ１が配置され、ＤＶＤユニット１２の近傍には、ＤＶＤユニット１２周辺の温度を検知するための温度センサＤ２が配置され、ＨＤＤユニット１１の近傍には、ＨＤＤユニット１１周辺の温度を検知するための温度センサＤ３が配置されている。ただし、これら温度センサＤ１，Ｄ２，Ｄ３は、ファン１５の送風による直接の影響を受けない位置、すなわち、各ユニットの実際の発熱温度をより正確に検知できる位置に配置されている。
【００２６】
すなわち、本実施形態では、発熱要素箇所として、コンデンサやトランスといった単純な電子部品ではなく、ＨＤＤユニット１１、ＤＶＤユニット１２、電源ユニット１４といったユニット単位を発熱要素箇所としている。
【００２７】
また、ファン１５は、冷却ユニット１６の上部に配置された台座１７に取り付けられており、この台座１７は、冷却ユニット１６内に設けられている台座駆動部２２（図２参照）によって水平回転可能に設けられている。すなわち、ファン１５は、台座駆動部２２によって台座１７が水平回転駆動されることにより、図中矢符Ｘ方向に略９０度の範囲で往復回転移動可能となっている。
【００２８】
図１は、ファン１５の初期位置状態を示しており、このときのファン１５の送風方向Ａ１は、基本的に最も熱を持ちやすい電源ユニット１４に向くように配置されている。すなわち、この送風位置がファン１５の初期位置となっている。
【００２９】
なお、図示は省略しているが、筐体１０の天面や底面、及び側面には、内部の熱を外部に逃がすためのスリット状または網目状の換気口が形成されている。
【００３０】
図２は、上記配置構成のＨＤＤ内蔵型ＤＶＤレコーダの主要部の電気的構成を示す機能ブロック図である。
【００３１】
ＨＤＤユニット１１やＤＶＤユニット１２は、電源ユニット１４から電力供給を受けている制御部２０によってそれぞれ制御されている。また、制御部２０は、ファン駆動部２１を介して冷却ユニット１６のファン１５の回転速度を制御するとともに、台座駆動部２２を介してファン１５の台座１７を回転制御するようになっている。
【００３２】
また、制御部２０には、各温度センサＤ１，Ｄ２，Ｄ３からの検知温度を示す信号が入力されている。制御部２０は、本ＨＤＤ内蔵型ＤＶＤレコーダの稼動時には、各温度センサＤ１，Ｄ２，Ｄ３からの検知温度に基づいて冷却制御（すなわち、ファン１５の回転速度制御や台座１７の回転制御）を行うようになっている。
【００３３】
また、制御部２０には、ＥＰＲＯＭやＥＥＰＲＯＭ、フラッシュメモリといった不揮発性メモリからなる記憶部２３が接続されている。記憶部２３には、制御部２０での冷却制御に必要な後述する優先順位等のデータが記憶されている。さらに、制御部２０には、後述する一定時間を計測するためのタイマー回路１８が接続されている。
【００３４】
なお、本実施形態では、図２の機能ブロック図は、冷却ユニット１６の制御部分を中心に図示しているため、リモコンによる入力部や筐体１０の前面に設けられた表示部（表示パネル）及び操作部については図示を省略している。また、ＨＤＤユニット１１及びＤＶＤユニット１２についても、これらの構成自体は本願発明の要部ではないので、ユニット単位のブロック図として詳細な図示を省略している。
【００３５】
次に、上記構成のＨＤＤ内蔵型ＤＶＤレコーダによる冷却制御動作について、具体的に実施例を挙げて説明する。
【００３６】
＜実施例１＞
本実施例１は、ファンの台座を回転制御し、さらにファンの回転速度を上げることで、温度異常が検出された発熱要素箇所を効率的に冷却する実施例である。以下、図３に示すフローチャートを参照して本実施例１の冷却制御動作を説明する。
【００３７】
ＨＤＤ内蔵型ＤＶＤレコーダの電源がオンされると、制御部２０は、ファン駆動部２１を制御してファン１５を通常時の回転速度で回転させる。これにより、ファン１５から図１中Ａ１方向に送風が開始され、冷却ユニット１６による筐体１０内の冷却が開始される。
【００３８】
この状態において、制御部２０は、それぞれの温度センサＤ１，Ｄ２，Ｄ３の検知温度を監視する（ステップＳ１）。ここで、それぞれの温度センサＤ１，Ｄ２，Ｄ３の検知温度には予め閾値が設定されている。
【００３９】
本実施例１では、温度センサＤ１の閾値が７０度、温度センサＤ２の閾値が６０度、温度センサＤ３の閾値が５５度に設定されているものとすると、制御部２０は、各温度センサＤ１，Ｄ２，Ｄ３の検知温度とこれら閾値とを個別に比較している。その結果、温度センサＤ１の検知温度が閾値の７０度を超えた場合（ステップＳ２でＹｅｓと判断された場合）には、制御部２０はファン１５の送風方向はそのまま（Ａ１方向）として冷却動作を継続し（ステップＳ３）、ステップＳ８へと動作を進める。
【００４０】
一方、温度センサＤ２の検知温度が閾値の６０度を超えた場合（ステップＳ２でＮｏ、ステップＳ４でＹｅｓと判断された場合）には、制御部２０は、台座駆動部２２を制御してファン１５の台座１７を回転させ、ファン１５の送風方向が図１中Ａ２方向となるように、ファン１５を回転させて（ステップＳ５）、ステップＳ８へと動作を進める。
【００４１】
一方、温度センサＤ３の検知温度が閾値の５５度を超えた場合（ステップＳ２でＮｏ、ステップＳ４でＮｏ、ステップＳ６でＹｅｓと判断された場合）には、制御部２０は、台座駆動部２２を制御してファン１５の台座１７を回転させ、ファン１５の送風方向が図１中Ａ３方向となるように、ファン１５を回転させて（ステップＳ７）、ステップＳ８へと動作を進める。なお、ステップＳ６でもＮｏと判断された場合には、図示しない表示部にエラーメッセージを表示する（ステップＳ１４）。このとき、ＨＤＤ内蔵型ＤＶＤレコーダ自体の動作を停止してもよい。
【００４２】
一方、制御部２０は、いずれかの温度センサＤ１，Ｄ２，Ｄ３で温度異常を検知して、ファン１５の送風方向の制御を行った後、タイマー回路１８によって一定時間（例えば、１分等）の計測を開始し（ステップＳ８）、その一定時間の間に温度異常が解消されたか否かを、異常が発生した温度センサの検知温度とその閾値との比較によって判断する（ステップＳ９）。
【００４３】
その結果、一定時間が経過する前に温度異常が解消された場合（ステップＳ９でＹｅｓと判断された場合）には、ステップＳ１に戻って、各温度センサＤ１，Ｄ２，Ｄ３の検知温度の監視を継続する。なお、このときには、台座１７の回転を制御して、ファン１５を元の初期位置に戻し、ファン１５の送風方向を元のＡ１方向に復帰させておく。
【００４４】
一方、温度異常が解消されることなく一定時間が経過した場合（ステップＳ８でＹｅｓと判断された場合）には、制御部２０は、この時点でファン駆動部２１を制御し、ファン１５の回転速度（すなわち、回転数）を通常時より上げて強制冷却を開始し（ステップＳ１０）、温度異常が解消されたか否かを監視する（ステップＳ１１）。
【００４５】
その結果、一定時間（例えば、１分等）の間に温度異常が解消された場合（ステップＳ１１でＹｅｓと判断された場合）には、制御部２０は、ファン１５の回転速度を通常時の速度に戻すとともに（ステップＳ１２）、この時点で温度異常が発生していたことを報知するメッセージを図示しない表示部に表示し（ステップＳ１３）、ステップＳ１に戻って、各温度センサＤ１，Ｄ２，Ｄ３の検知温度の監視を継続する。なお、このときには、台座１７の回転を制御して、ファン１５を元の初期位置に戻し、ファン１５の送風方向を元のＡ１方向に復帰させておく。
【００４６】
一方、ファン１５の回転速度を上げて一定時間が経過しても温度異常が解消されなかった場合（ステップＳ１１でＮｏと判断された場合）には、図示しない表示部にエラーメッセージを表示する（ステップＳ１４）。このとき、ＨＤＤ内蔵型ＤＶＤレコーダ自体の動作を停止してもよい。
【００４７】
すなわち、本実施例１によれば、任意のユニットに温度異常が発生した場合でも、ファンの回転数をすぐに上げるのではなく、まずファンの送風方向を異常の発生しているユニットに向けることによって、騒音の発生を防止しつつ、当該ユニットの温度異常を効率的に解消することが可能となる。また、この時点ではファンは通常時の回転数を保っているので、騒音も発生せず、ユーザに不快感や不安感を与えることもない。そして、ファンの送風方向の制御による風量増加のみではユニットの温度異常が解消できない場合に、次の手段としてファンの回転数を上げることで、ユニットをより確実に冷却し、温度異常を確実に解消するようにしたものである。
【００４８】
また、本実施例１では、温度異常が解消された場合でも、温度異常があったことを報知する構成としている。すなわち、温度異常が発生し、ファン１５の制御によって温度異常が解消されたとしても、何らかの理由で温度異常が発生したことに変わりはないため、電子機器の稼動は停止しないものの、温度異常が発生したことをユーザに報知する。これにより、ユーザは、その報知を確認し、自らの判断で電子機器を一旦停止する等の、人為的な安全対策やその後の対策を講じることが可能となる。
【００４９】
＜実施例２＞
本実施例２は、複数のユニットで同時に温度異常が発生することを考慮し、複数のユニットのそれぞれに冷却の優先順位を予め設定した実施例である。
【００５０】
本実施例２では、優先順位は、各ユニットごとに予め設定されている異常検知のための閾値の低い順に設定する。すなわち、ＨＤＤユニット１１の閾値が５５度、ＤＶＤユニット１２の閾値が６０度、電源ユニット１４の閾値が７０度であるから、冷却の優先順位は、１位がＨＤＤユニット１１、２位がＤＶＤユニット１２、３位が電源ユニット１４となる。この優先順位のデータは、予め記憶部２３に記憶されている。
【００５１】
以下、図４に示すフローチャートを参照して本実施例２の冷却制御動作を説明する。
【００５２】
ＨＤＤ内蔵型ＤＶＤレコーダの電源がオンされると、制御部２０は、ファン駆動部２１を制御してファン１５を通常時の回転速度で回転させる。これにより、ファン１５から図１中Ａ１方向に送風が開始され、冷却ユニット１６による筐体１０内の冷却が開始される。
【００５３】
この状態において、制御部２０は、それぞれの温度センサＤ１，Ｄ２，Ｄ３の検知温度を監視する（ステップＳ２１）。すなわち、制御部２０は、各温度センサＤ１，Ｄ２，Ｄ３の検知温度とそれぞれの閾値とを個別に比較している。その結果、いずれかの温度センタＤ１，Ｄ２，Ｄ３の検知温度が閾値を超えた場合（ステップＳ２１でＹｅｓと判断された場合）には、制御部２０は、複数の温度センサの検知温度がそれぞれの閾値を超えているか否かを判断する（ステップＳ２２）。その結果、一つの温度センサの検知温度が閾値を超えている場合（ステップＳ２２でＮｏと判断された場合）には、上記実施例１と同じであるので、この場合には図３のステップＳ１へと動作を進める。
【００５４】
一方、複数の温度センサの検知温度がそれぞれの閾値を超えている場合（ステップＳ２２でＹｅｓと判断された場合）には、記憶部２３に記憶されている優先順位を参照して、優先順位の高いユニットを選択する（ステップＳ２３）。
【００５５】
ここで、具体例として、ＨＤＤユニット１１とＤＶＤユニット１２の双方が温度異常となった場合について説明する。すなわち、ＨＤＤユニット１１に配置されている温度センサＤ３による検知温度が閾値の５５度を超え、ＤＶＤユニット１２に配置されている温度センサＤ２による検知温度が閾値の６０度を超えた場合について説明する。
【００５６】
制御部２０は、まず優先順位の高い（すなわち、閾値の低い）ＨＤＤユニット１１に配置されている温度センサの確認を行う（ステップＳ２４〜ステップＳ２６）。この場合、ＨＤＤユニット１１に配置されている温度センサはＤ３であり、ステップＳ２４でＮｏ、ステップＳ２５でＮｏ、ステップＳ２６でＹｅｓとなるので、制御部２０は、台座駆動部２２を制御してファン１５の台座１７を回転させ、ファン１５の送風方向が図１中Ａ３方向となるように、ファン１５を回転させて（ステップＳ２９）、ステップＳ３０へと動作を進める。なお、ステップＳ２６でもＮｏと判断された場合には、図示しない表示部にエラーメッセージを表示する（ステップＳ３７）。このとき、ＨＤＤ内蔵型ＤＶＤレコーダ自体の動作を停止してもよい。
【００５７】
この後、制御部２０は、ファン１５の送風方向の制御を行った後、タイマー回路１８によって一定時間（例えば、１分等）の計測を開始し（ステップＳ３０）、その一定時間の間に温度異常が解消されたか否かを、異常が発生した温度センサの検知温度とその閾値との比較によって判断する（ステップＳ３１）。
【００５８】
その結果、一定時間が経過する前に温度異常が解消された場合（ステップＳ３１でＹｅｓと判断された場合）には、ステップＳ３４へと動作を進める。一方、温度異常が解消されることなく一定時間が経過した場合（ステップＳ３０でＹｅｓと判断された場合）には、制御部２０は、この時点でファン駆動部２１を制御し、ファン１５の回転速度（すなわち、回転数）を通常時より上げて強制冷却を開始して（ステップＳ３２）、温度異常が解消されたか否かを監視する（ステップＳ３３）。
【００５９】
その結果、一定時間（例えば、１分等）の間に温度異常が解消された場合（ステップＳ３３でＹｅｓと判断された場合）には、ステップＳ３４へと動作を進める。
【００６０】
ステップＳ３４では、温度異常が発生している次のユニットがあるか否かを確認する。この場合には、次のユニットがあるので、ステップＳ２３へと動作を進め、記憶部２３に記憶されている優先順位を参照して、優先順位の高い次のユニットを選択する。
【００６１】
そして、制御部２０は、次に優先順位の高い（すなわち、閾値の低い）ＤＶＤユニット１２に配置されている温度センサの確認を行う（ステップＳ２４〜ステップＳ２６）。この場合、ＤＶＤユニット１２に配置されている温度センサはＤ２であり、ステップＳ２４でＮｏ、ステップＳ２５でＹｅｓとなるので、制御部２０は、台座駆動部２２を制御してファン１５の台座１７を回転させ、ファン１５の送風方向が図１中Ａ２方向となるように、ファン１５を回転させて（ステップＳ２９）、ステップＳ３０へと動作を進める。
【００６２】
すなわち、制御部２０は、ファン１５の送風方向の制御を行った後、タイマー回路１８によって一定時間（例えば、１分等）の計測を開始し（ステップＳ３０）、その一定時間の間に温度異常が解消されたか否かを、異常が発生した温度センサの検知温度とその閾値との比較によって判断する（ステップＳ３１）。
【００６３】
その結果、一定時間が経過する前に温度異常が解消された場合（ステップＳ３１でＹｅｓと判断された場合）には、ステップＳ３４へと動作を進める。一方、温度異常が解消されることなく一定時間が経過した場合（ステップＳ３０でＹｅｓと判断された場合）には、制御部２０は、この時点でファン駆動部２１を制御し、ファン１５の回転速度（すなわち、回転数）を通常時より上げて強制冷却を開始して（ステップＳ３２）、温度異常が解消されたか否かを監視する（ステップＳ３３）。
【００６４】
その結果、一定時間（例えば、１分等）の間に温度異常が解消された場合（ステップＳ３３でＹｅｓと判断された場合）には、ステップＳ３４へと動作を進める。
【００６５】
ステップＳ３４では、温度異常が発生している次のユニットがあるか否かを確認する。この場合には、次のユニットが無いので、ステップＳ３５へと動作を進め、制御部２０は、ファン１５の回転速度を通常時の速度に戻すとともに（ステップＳ３５）、この時点で温度異常が発生していたことを報知するメッセージを図示しない表示部に表示し（ステップＳ３６）、ステップＳ２１に戻って、各温度センサＤ１，Ｄ２，Ｄ３の検知温度の監視を継続する。なお、このときには、台座１７の回転を制御して、ファン１５を元の初期位置に戻し、ファン１５の送風方向を元のＡ１方向に復帰させておく。
【００６６】
一方、ファン１５の回転速度を上げて一定時間が経過しても温度異常が解消されなかった場合（ステップＳ３３でＮｏと判断された場合）には、図示しない表示部にエラーメッセージを表示する（ステップＳ３７）。このとき、ＨＤＤ内蔵型ＤＶＤレコーダ自体の動作を停止してもよい。
【００６７】
なお、優先順位が閾値の高い順に設定されている場合には、まず閾値の高いＤＶＤユニット１２の方にファン１５を向けて送風（冷却）を行い、ＤＶＤユニット１２の温度異常が解消さると、次にＨＤＤユニット１１の方にファン１５を向けて送風（冷却）を行う。
【００６８】
このように、本実施例２では、優先順位を決めることで、１台のファン１５で、複数の発熱要素箇所を効率的かつ効果的に冷却することが可能となる。なお、優先順位を閾値の低い方からとするのか、高い方からとするのかは、電子機器の種類や筐体内部の電子部品の配置構造等にもよるので、設計段階でいずれかに決定すればよい。
【００６９】
＜実施例３＞
本実施例３は、複数のユニットで同時に温度異常が発生することを考慮し、温度異常が検知された複数のユニットの中で、それぞれに設定されている閾値からの温度上昇の最も高いユニットを最初に冷却すべきユニットとして決定する実施例である。以下、図５に示すフローチャートを参照して本実施例３の冷却制御動作を説明する。
【００７０】
ＨＤＤ内蔵型ＤＶＤレコーダの電源がオンされると、制御部２０は、ファン駆動部２１を制御してファン１５を通常時の回転速度で回転させる。これにより、ファン１５から図１中Ａ１方向に送風が開始され、冷却ユニット１６による筐体１０内の冷却が開始される。
【００７１】
この状態において、制御部２０は、それぞれの温度センサＤ１，Ｄ２，Ｄ３の検知温度を監視する（ステップＳ４１）。すなわち、制御部２０は、各温度センサＤ１，Ｄ２，Ｄ３の検知温度とそれぞれの閾値とを個別に比較している。その結果、いずれかの温度センタＤ１，Ｄ２，Ｄ３の検知温度が閾値を超えた場合（ステップＳ４１でＹｅｓと判断された場合）には、制御部２０は、複数の温度センサの検知温度がそれぞれの閾値を超えているか否かを判断する（ステップＳ４２）。その結果、一つの温度センサの検知温度が閾値を超えている場合（ステップＳ４２でＮｏと判断された場合）には、上記実施例１と同じであるので、この場合には図３のステップＳ１へと動作を進める。
【００７２】
一方、複数の温度センサの検知温度がそれぞれの閾値を超えている場合（ステップＳ４２でＹｅｓと判断された場合）には、複数の温度センサの検知温度がそれぞれの閾値から何度上昇しているかを確認し、閾値からの温度上昇の最も高いユニットを最初に冷却すべきユニットとして選択する（ステップＳ４３）。
【００７３】
ここで、具体例として、ＨＤＤユニット１１とＤＶＤユニット１２の双方が温度異常となった場合について説明する。この場合、ＨＤＤユニット１１に配置されている温度センサＤ３による検知温度が閾値の５５度を５度超えており、ＤＶＤユニット１２に配置されている温度センサＤ２による検知温度が閾値の６０度を３度超えていると仮定して説明する。
【００７４】
制御部２０は、まず閾値からの温度上昇の最も高いＨＤＤユニット１１に配置されている温度センサの確認を行う（ステップＳ４４〜ステップＳ４６）。この場合、ＨＤＤユニット１１に配置されている温度センサはＤ３であり、ステップＳ４４でＮｏ、ステップＳ４５でＮｏ、ステップＳ４６でＹｅｓとなるので、制御部２０は、台座駆動部２２を制御してファン１５の台座１７を回転させ、ファン１５の送風方向が図１中Ａ３方向となるように、ファン１５を回転させて（ステップＳ４９）、ステップＳ５０へと動作を進める。なお、ステップＳ４６でもＮｏと判断された場合には、図示しない表示部にエラーメッセージを表示する（ステップＳ５７）。このとき、ＨＤＤ内蔵型ＤＶＤレコーダ自体の動作を停止してもよい。
【００７５】
この後、制御部２０は、ファン１５の送風方向の制御を行った後、タイマー回路１８によって一定時間（例えば、１分等）の計測を開始し（ステップＳ５０）、その一定時間の間に温度異常が解消されたか否かを、異常が発生した温度センサの検知温度とその閾値との比較によって判断する（ステップＳ５１）。
【００７６】
その結果、一定時間が経過する前に温度異常が解消された場合（ステップＳ５１でＹｅｓと判断された場合）には、ステップＳ５４へと動作を進める。一方、温度異常が解消されることなく一定時間が経過した場合（ステップＳ５０でＹｅｓと判断された場合）には、制御部２０は、この時点でファン駆動部２１を制御し、ファン１５の回転速度（すなわち、回転数）を通常時より上げて強制冷却を開始して（ステップＳ５２）、温度異常が解消されたか否かを監視する（ステップＳ５３）。
【００７７】
その結果、一定時間（例えば、１分等）の間に温度異常が解消された場合（ステップＳ５３でＹｅｓと判断された場合）には、ステップＳ５４へと動作を進める。
【００７８】
ステップＳ５４では、温度異常が発生している次のユニットがあるか否かを確認する。この場合には、次のユニットがあるので、ステップＳ４３へと動作を進め、閾値からの温度上昇の最も高いユニットであるＤＶＤユニット１２を次に冷却すべきユニットとして選択する。すなわち、制御部２０は、ＤＶＤユニット１２に配置されている温度センサの確認を行う（ステップＳ４４〜ステップＳ４６）。この場合、ＤＶＤユニット１２に配置されている温度センサはＤ２であり、ステップＳ４４でＮｏ、ステップＳ４５でＹｅｓとなるので、制御部２０は、台座駆動部２２を制御してファン１５の台座１７を回転させ、ファン１５の送風方向が図１中Ａ２方向となるように、ファン１５を回転させて（ステップＳ４９）、ステップＳ５０へと動作を進める。
【００７９】
すなわち、制御部２０は、ファン１５の送風方向の制御を行った後、タイマー回路１８によって一定時間（例えば、１分等）の計測を開始し（ステップＳ５０）、その一定時間の間に温度異常が解消されたか否かを、異常が発生した温度センサの検知温度とその閾値との比較によって判断する（ステップＳ５１）。
【００８０】
その結果、一定時間が経過する前に温度異常が解消された場合（ステップＳ５１でＹｅｓと判断された場合）には、ステップＳ５４へと動作を進める。一方、温度異常が解消されることなく一定時間が経過した場合（ステップＳ５０でＹｅｓと判断された場合）には、制御部２０は、この時点でファン駆動部２１を制御し、ファン１５の回転速度（すなわち、回転数）を通常時より上げて強制冷却を開始して（ステップＳ５２）、温度異常が解消されたか否かを監視する（ステップＳ５３）。
【００８１】
その結果、一定時間（例えば、１分等）の間に温度異常が解消された場合（ステップＳ５３でＹｅｓと判断された場合）には、ステップＳ５４へと動作を進める。
【００８２】
ステップＳ５４では、温度異常が発生している次のユニットがあるか否かを確認する。この場合には、次のユニットが無いので、ステップＳ５５へと動作を進め、制御部２０は、ファン１５の回転速度を通常時の速度に戻すとともに（ステップＳ５５）、この時点で温度異常が発生していたことを報知するメッセージを図示しない表示部に表示し（ステップＳ５６）、ステップＳ４１に戻って、各温度センサＤ１，Ｄ２，Ｄ３の検知温度の監視を継続する。なお、このときには、台座１７の回転を制御して、ファン１５を元の初期位置に戻し、ファン１５の送風方向を元のＡ１方向に復帰させておく。
【００８３】
一方、ファン１５の回転速度を上げて一定時間が経過しても温度異常が解消されなかった場合（ステップＳ５３でＮｏと判断された場合）には、図示しない表示部にエラーメッセージを表示する（ステップＳ５７）。このとき、ＨＤＤ内蔵型ＤＶＤレコーダ自体の動作を停止してもよい。
【００８４】
このように、本実施例３では、閾値からの温度上昇の最も高いものから優先的に冷却を行うことで、１台のファン１５で、複数の発熱要素箇所を効率的かつ効果的に冷却することが可能となる。
【図面の簡単な説明】
【００８５】
【図１】本発明の冷却装置を電子機器であるＨＤＤ内蔵型ＤＶＤレコーダに適用した場合の原理的構成を示した説明図である。
【図２】本実施形態のＨＤＤ内蔵型ＤＶＤレコーダの主要部の電気的構成を示す機能ブロック図である。
【図３】本発明の冷却装置の実施例１の冷却制御動作を説明するためのフローチャートである。
【図４】本発明の冷却装置の実施例２の冷却制御動作を説明するためのフローチャートである。
【図５】本発明の冷却装置の実施例３の冷却制御動作を説明するためのフローチャートである。
【符号の説明】
【００８６】
１０  筐体
１０ａ  ディスク挿入口
１１  ＨＤＤユニット
１２  ＤＶＤユニット
１３  回路基板
１４  電源ユニット
１５  ファン
１６  冷却装置
１７  台座
１８  タイマー回路
２０  制御部
２１  ファン駆動部
２２  台座駆動部
２３  記憶部
Ｄ１，Ｄ２，Ｄ３  温度センサ
【図１】
2009027071.tif 000003
【図２】
2009027071.tif 000004
【図３】
2009027071.tif 000005
【図４】
2009027071.tif 000006
【図５】
2009027071.tif 000007